(57)【要約】【課題】既存のマッサージ器など汎用性ある振動発生器（バイブレーター）に、確実に固定できると共に、容易に着脱できて、しかも安いコストの茶筅用補助具を提供することである。【解決手段】振動装置の頭部に装着固定される茶筅補助具であって、当該振動装置頭部の直径を下回る大きさの所定内径を有する円筒または円環帯状の弾性体で成す装着部本体を設け、当該装着部本体の外壁に、使用する茶筅の柄部の内径に先端を挿入できる直径の先端を有する円錐台状の所定の弾性を有する弾性材で形成した茶筅取付け部を設ける。  また、前記円環の直径位置にて橋渡ししたブリッジ材を設け、任意の角度に弾性材で形成した茶筅取付け部を設ける。【選択図】図１
2009106709.tif 000002
【特許請求の範囲】
【請求項１】
振動装置の頭部に装着固定される茶筅補助具であって、当該振動装置頭部の直径を下回る大きさの所定内径を有する円筒または円環帯状の弾性体で成す装着部本体を設け、当該装着部本体の外壁に、使用する茶筅の柄部の内径に先端を挿入できる直径の先端を有する円錐台状の所定の弾性を有する弾性材で形成した茶筅取付け部を設けたことを特徴とする茶筅用補助具。
【請求項２】
振動装置の頭部に装着固定される茶筅補助具であって、当該振動装置頭部の直径を下回る大きさの所定内径を有する円筒または円環帯状の弾性体で成す装着部本体を設け、当該装着部本体の上端面に、所定幅材で円筒または円環の直径位置にて橋渡ししたブリッジ材を設け、当該ブリッジ材の頂点部または外壁所定角度の位置に、使用する茶筅の柄部の内径に先端を挿入できる直径の先端を有する円錐台状の所定の弾性を有する弾性材で形成した茶筅取付け部を設けたことを特徴とする茶筅用補助具。
【請求項３】
前記振動装置が交流電源にて、少なくとも毎分３０００回振動する、振動装置を設けた請求項１または請求項２に記載の茶筅用補助具。
【請求項４】
前記振動装置頭部装着部本体を、円筒または円環の全長に渡ってスリットを有する所定内径の円筒状の板ばねにして形成した請求項１または請求項２に記載の茶筅用補助具。
【請求項５】
前記振動装置頭部装着部本体を、円筒または円環状に形成して調節固定することができるベルト材で成る請求項１または請求項２に記載の茶筅用補助具。
【請求項６】
振動装置の頭部に取付ける茶筅補助具であって、少なくとも当該振動装置頭部の全周囲長を上回る長さを有する帯状の弾性体で成す装着部本体と、使用する茶筅の柄部の内径に先端を挿入できる直径の先端で、中心軸部に所定の貫通孔を有する円錐台状の所定の弾性を有する弾性材で形成した茶筅取付け部材と、当該取り付け部材の中心軸部の貫通孔を貫通するボルト材および当該ボルトに嵌合するナットとワッシャを一連のセットとして設けた組立部材から成る茶筅用補助具。
【発明の詳細な説明】
【技術分野】
【０００１】  本発明は、抹茶を立てるのに好適な茶筅用補助具に関するものである。
【背景技術】
【０００２】  従来から、水に溶けにくい粉末を水に溶かしたり、特に抹茶を立てる場合には茶筅で掻き混ぜることは広く知られている。そして良いお茶を美味しく立てるには抹茶の粒子を満遍なく均一にお湯に溶かし込んで適度に泡立たせることが必要である。そして従来は抹茶を提供する場合には、お茶の心得のある人が一々茶筅を手で操作してお茶を立てなければならず、大変能率が悪いばかりでなく、立てる人やその時々によって、お茶の出来上がりにバラ付きがあると言う問題があった。また、お茶を立てるのには熟練を要することへの煩わしさもあった。【０００３】  こうしたことに対して、誰でも簡単に美味しい抹茶を能率よく立てることができる器具として撹拌装置なるものが開示されている。（例えば特許文献１参照。）
これは撹拌体を揺動機構にて小刻みに揺動装置であり、撹拌体として茶筅を該装置に、その都度しっかりと取り付け固定するものである。
この撹拌装置によると、使用されている揺動装置が大掛かりで、使用頻度からしてコストが掛かりすぎるという問題があるばかりでなく、茶筅を該装置に、その都度しっかりと取り付け固定することは、大変面倒と言う欠点もあって、実際の場面では殆んど使用されていない。【０００４】  その他、より小型で簡単な構造の自動茶筅や装置も開示されているが、（例えば特許文献２及び３参照。）これらはいずれも単に弱い力で回転させるものであって、前述例同様にコストが高い専用機器であることと、好ましい抹茶が得られないと言う問題もあった。【０００５】  従って、簡単な構造で、取り扱いし易い、しかも安価な器具が市場から強く求められていた。即ち、既存のマッサージ器など汎用性ある振動発生器（バイブレーター）に、確実に固定できると共に、容易に着脱できて、しかも安いコストのものを求める声も多く聞かれている。
【参考文献】
【特許文献１】  特開平７−２７５１２６
【特許文献２】  登録実用新案第３０６３９３４号
【特許文献３】  特開２００６−７５３７３
【発明の開示】
【発明が解決しようとする課題】
【０００６】  このような経緯に鑑み成されたもので、上記問題を解決すると共に、多くの市場の要求にも応えようとするものである。
それは、抹茶のように極めて微細な粉末であっても液体に満遍なく均一に溶け込めるようにした簡単な構造で容易に使用でき、そして短時間で抹茶をたてることができるものであって、且つ既存のマッサージ器など汎用性ある振動発生器（バイブレーター）に、確実に固定できると共に、容易に着脱できて、しかも安いコストの茶筅用補助具を提供することである。
【課題を解決するための手段】
【０００７】  上記の課題を解決するために、本発明の茶筅用補助具は、振動装置の頭部に装着固定される茶筅補助具であって、当該振動装置頭部の直径を下回る大きさの所定内径を有する円筒または円環帯状の弾性体で成す装着部本体を設け、当該装着部本体の外壁に、使用する茶筅の柄部の内径に先端を挿入できる直径の先端を有する円錐台状の所定の弾性を有する弾性材で形成した茶筅取付け部を設けた茶筅用補助具である。【０００８】  また、振動装置の頭部に装着固定される茶筅補助具であって、当該振動装置頭部の直径を下回る大きさの所定内径を有する円筒または円環帯状の弾性体で成す装着部本体を設け、当該装着部本体の上端面に、所定幅材で円筒または円環の直径位置にて橋渡ししたブリッジ材を設け、当該ブリッジ材の頂点部または外壁所定角度の位置に、使用する茶筅の柄部の内径に先端を挿入できる直径の先端を有する円錐台状の所定の弾性を有する弾性材で形成した茶筅取付け部を設けた茶筅用補助具である。【０００９】  そして、前記振動装置が交流電源にて、少なくとも毎分３０００回振動する、振動装置を設けた茶筅用補助具とすると好ましい。【００１０】  更に、前記振動装置頭部装着部本体を、円筒または円環の全長に渡ってスリットを有する所定内径の円筒状の板ばねにして形成してもよい。【００１１】  または、前記振動装置頭部装着部本体を、円筒または円環状に形成して調節固定することができるベルト材で成る茶筅用補助具としてもよい。【００１２】  または、振動装置の頭部に取付ける茶筅補助具であって、少なくとも当該振動装置頭部の全周囲長を上回る長さを有する帯状の弾性体で成す装着部本体と、使用する茶筅の柄部の内径に先端を挿入できる直径の先端で、中心軸部に所定の貫通孔を有する円錐台状の所定の弾性を有する弾性材で形成した茶筅取付け部材と、当該取り付け部材の中心軸部の貫通孔を貫通するボルト材および当該ボルトに嵌合するナットとワッシャを一連のセットとして設けた組立部材から成る茶筅用補助具とすることも考えられる。
【発明の効果】
【００１３】  以上のとおり、本発明によれば、抹茶のように極めて微細な粉末であっても液体に満遍なく均一に溶け込めるようにした簡単な構造で容易に使用でき、能率よく短時間で抹茶をたてることができるものであって、家庭で持ち合わせる既存のマッサージ器など汎用性ある振動発生器（バイブレーター）に、確実に固定できると共に、持ち合わせる既存の茶筅を容易に着脱できて、しかも安いコストの茶筅用補助具を提供することができる。その結果、抹茶立ての熟練を要することなく、至って身近において、誰でもが美味しい抹茶を簡単に楽しむことができるため、抹茶の普及を著しく高めることができる。【００１４】  また、人の手作業の茶筅揺動運動に代わるべく、既存の茶筅を取付けた振動装置によって、極めて短時間で能率良く茶筅を揺動することができるので、誰もが簡単に且つ一度に味と香りの均一な美味しい沢山の抹茶を立てることができる。【００１５】  さらに、同一の茶筅を取付けた振動装置によって、客観的に同一の条件で多種の抹茶を立てることができるので、従来は立てられた抹茶の香りや味などの出来栄え品質の比較が困難であったものが、可能となった。これにより、立てられた抹茶の香りや味などの出来栄え品質の評価をすることができ、本質的な抹茶コンテストを楽しむことができる。【００１６】  また、請求項２によれば、軸と並行に垂直方向に茶筅を取付けることができるため、茶筅を取付けた振動装置を複数のものを並列させて同時に使用することができるので、極めて短時間で能率良く茶筅を揺動することができるので、一度に味と香りの均一な美味しい沢山の抹茶を立てることができる。この結果、会議などの短時間の休憩時においても、参加者全員に同時に美味しい抹茶を味わってもらうことも可能となる。【００１７】  また、請求項３によれば、振動装置が交流電源にて、少なくとも毎分３０００回振動する、高回転（振動）の強力な振動装置を設けたことによって、より強力で多くの振動数を得ることができるため、より一層、極めて短時間で能率良く茶筅を揺動することができ、一度に味と香りの均一できめ細かな（まろやかな）美味しい沢山の抹茶を立てることができる。【００１８】  また、請求項４によれば、振動装置頭部装着部本体を、円筒または円環の全長に渡ってスリットを有する所定内径の円筒状の板ばねにして形成したことによって、ワンタッチで装着脱できると共に、装着部本体の耐久性を著しく向上することができる。【００１９】  また、請求項５によれば、前記振動装置頭部装着部本体を、円筒または円環状に形成して調節固定することができるベルト材にすることによって、茶筅を装着する振動装置のサイズの異なる頭部の各種の振動装置に合せて取付けることもできるので、利用範囲を著しく拡大することができる。【００２０】  また、請求項６によれば、各部品を結合するナットとワッシャを一連のセットとして設けた組立部材から成る茶筅用補助具とすることによって、各種の振動装置に合せて取付けることもできると共に、コンパクトになって、どこにでも携帯することができるため、どこでも美味しい沢山の抹茶を立てることができる。また、収納する場合も省スペースで便利になる。
【発明を実施するための最良の形態】
【００２１】  本発明の実施の形態について図面を参照して説明する。図１は本発明の第一の実施例を示す斜視図である。図１に示すように、１は振動装置への装着部本体で、３は茶筅取付け部である。
ここで言う振動装置は、例えば一般に多く用いられている略球状または円柱状の頭部が振動する家庭用のハンドマッサージ器であるが、同等なものであれば、これに限定しない。
上記振動装置の頭部に装着固定される茶筅補助具であって、該振動装置頭部の直径を下回る大きさの所定内径を有する円筒または円環帯状の弾性体で成す装着部本体１を設け、当該装着部本体１の外壁に、使用する茶筅９の柄部端の内径に先端を挿入できる直径の先端を有する円錐台状の所定の弾性を有する弾性材で形成した茶筅取付け部３を設けたものである。当該茶筅取付け部３は横向きの円錐台状とし、円錐台の傾斜面のテーパーは五分の一程度が好ましく、大きさは対象となる茶筅の柄端の内径がテーパーの中央部に値する程度が好ましい。【００２２】  そして、前記装着部本体１とは別個のものをネジ等で所定の位置に取り付けたり、接着剤で接着してもよい。または、両者の弾性の機能特性（強さ）が一致して満足できるものであれば、その特性を有する弾性体（ゴムなど）で一体成型品としてもよい。
別体とした場合の茶筅取付け部３は円錐台の底面は装着部本体１となじませるために、取付け部の外壁に沿った凹曲面に形成しておくと好ましい。【００２３】  また、本実施例では、装着部本体１は振動装置の頭部の大きさに対応させて、円環帯材の直径がより僅かに小さく締め代を持たせたゴム材としたが、これに代えて（図示しないが）直径が伸縮可能な編みこんだ金属製の帯状ばね材とすることも考えられる。
その他、円筒または円環の全長に渡ってスリットを有する所定内径の円筒状の板ばねにして形成したものでもよい。
更には、通常ではかさばるので、単に帯板状のベルト材として、必要なときだけ円筒または円環状に形成して調節固定することができるものでもよい。【００２４】  図２は本発明である茶筅用補助具実施例一の使用状態を示す説明図である。図２で示すように、振動装置５の家庭用マッサージ器における振動装置頭部５１に本発明の円環帯状の弾性体で成す装着部本体１を頭部の頂上から円環の径を広げながら被せるようにして、頭部の中央付近で止まる位置にて固定させる。このとき茶筅取付け部３は装着部本体１の外壁に垂直に取り付けられているので、その先端に茶筅９の柄が差し込まれているため、結果的に振動装置５の家庭用マッサージ器の軸に垂直に下向きになっている。
この状態で、予め抹茶湯飲み茶碗に適量の抹茶と所要の湯が注がれた状態の茶碗の真上から茶筅９をゆっくり降下させていって、茶筅の先端が全長の５分の１程度浸水させた位置でスイッチを入れて、そのまま約数秒から５〜６秒程度振動させて後、静かに真上に引き上げれば、美味しい抹茶ができあがる。【００２５】  こうした場合に於いては、予め抹茶湯飲み茶碗に適量の抹茶と所要の湯が注がれた状態の茶碗を並べておくだけで、茶の心得が無い初心者や誰がやっても、または自動的な機械ロボットにやらせても短時間に熟練者が抹茶を立てたと同様に行なうことができる。【００２６】  そして、図３は図２における茶筅取付け部３の一部を切り欠いた拡大断面図である。図で示すように、先述の円錐台形の茶筅取付け部３は適度な柔らかさを有する弾性材であるゴムにて形成されたものである。
そしてある程度の柔らかさを有して、図のように差し込んだときに、傾斜の一部分が移動して一定の距離だけ水平円柱状になって内径に密着する部分を形成することである。これによって、摩擦力が十分に得られるので茶筅９は確実に固定されることになる。【００２７】  従って、本発明を使用するに当たって、あらかじめ茶筅を茶筅取付け部３に取付ける場合には、茶筅９の柄の端の部分を茶筅取付け部３に差し込んでから、更に充分、僅かに回動させながら押し込んで固定する。
このように押し込むことによって、図３で示すように柄の内壁に一定の長さだけ密着する部分Ａが得られるので、確実に固定させることができる。また、抜脱する場合には僅かに回動させながら押し込むことによって、簡単に取り外すことができる。従って、着脱作業が容易であり、瞬時に行なうことができて能率的である。【００２８】  尚、茶筅には僅かに大きさが異なる数種類が存在するが、その殆んど全ては天然の竹材にて作られ、柄の後ろ端は円筒状に開放されている。従って、この円筒の内径に対応した数種類の円錐台を作ることも考えられる。しかしながら、形状を円錐台にすることによって、ある程度の内径の差異の範囲を適用させることが可能なので、大体は大中小の三種類でもって殆んど全てが使用可能となる。
【実施例２】
【００２９】  図４は本発明の茶筅補助具実際に使用している場面の斜視図である。
このように、振動装置の頭部に装着固定される茶筅補助具であって、当該振動装置頭部の直径を下回る大きさの所定内径を有する円筒または円環帯状の弾性体で成す装着部本体１を設け、当該装着部本体１の上端面に、所定幅材で円筒または円環の直径位置にてアーチ形に橋渡ししたブリッジ材２を設け、当該ブリッジ材２の頂点部または外壁所定角度の位置に、使用する茶筅の柄部の内径に先端を挿入できる直径の先端を有する円錐台状の所定の弾性を有する弾性材で形成した茶筅取付け部３を設けたものである。
本実施例二は、前記茶筅取付け部３を円環と垂直方向にするために、円環上端部直径位置にブリッジ材を設けたことだけが異なり、その他は先述の実施例一と同様である。【００３０】このように装着部本体１の円環の直径位置にてアーチ形に橋渡ししたブリッジ材２があるので、振動装置頭部５１に装着部本体１を装着する場合、その位置を特に意識することなくブリッジ材２に当たるまで押し込めばよいことになる。
また、茶筅用補助具の各種の仕様に変化をもたせ、取付け部３は頂上部の垂直をはじめ、任意の角度で設けることができるので、多様の場面への応用に効果的である。
従って、使用場所や使用者の好みによって、位置を設定することができる。【００３１】  図５は本発明である茶筅用補助具実施例二の使用状態を示す説明図である。図５で示すように、振動装置５の家庭用マッサージ器における振動装置頭部５１に本発明の円環帯状の弾性体で成す装着部本体１を頭部の頂上から円環の径を広げながら被せるようにして、頭部がブリッジ材２で止まる位置にて固定させる。このとき、茶筅取付け部３は装着部本体１の円環上端部直径位置にあるブリッジ材２中央に垂直に取り付けられているので、茶筅９は振動装置５の家庭用マッサージ器の軸に略一致する直線上になっている。
この状態で、予め抹茶湯飲み茶碗に適量の抹茶と所要の湯が注がれた状態の茶碗の真上から茶筅９をゆっくり降下させていって、茶筅の先端が全長の５分の１程度浸水させた位置でスイッチを入れて、そのまま約数秒から５〜６秒程度振動させて後、静かに真上に引き上げれば、美味しい抹茶ができあがる。【００３２】  こうした場合に於いては、単純な直線の上下運動でよいので、茶筅９を取付けた振動装置５であるマッサージ器を横に数個以上並列に装置したものを、同時に上下できる簡単な自動ロボット装置を設置すれば、一度に沢山の抹茶を短時間に立てることが、極めて容易に実施することができる。
【実施例３】
【００３３】  図６は本発明である茶筅補助具の第三の実施例を示す斜視図である。（ａ）は構成する全部品図であり、（ｂ）は組み立てた場合における主要部の斜視図である。
この第三の実施例は図で示すように、各部品を組立式にセット化したもので、図６の（ａ）に示す５個の部品で構成されたものである。それらは、１装着部本体、３茶筅取付け部、６ボルト、７ワッシャ、８ナットである。
装着部本体１は図示のように革またはゴムで作られた短いベルト状で、その幅の中心軸に沿って、両端および、その一方には所定の間隔で２〜３個の同様な孔が開けられている。この孔は両端を所定幅重ね合わせて、ベルトを円環状にするためと、そこの位置に茶筅取り付け部３である円錐台体取り付け用のボルト６の貫通用の孔である。
この円錐台体の茶筅取付け部３は前述の実施例などと同等のものであるが、ここでは独立した部品とするために、中心軸に前記ボルト６用の貫通孔を有し、さらに太い径の底の面は僅かに凹曲面としておくと好ましいものとなる。そして６ボルト、７ワッシャ、８ナットは一組のセットもので、ボルト６の首下長さは前記円錐台体の茶筅取付け部３の長さ（高さ）と装着部本体１であるベルトの両端を所定幅重ね合わせたときの厚さとボルト６にワッシャ７を挿入してナット８をねじ込むのに十分な長さである。【００３４】  これらを組み立てる場合には、図６（ｂ）に示すように、装着する振動装置５の頭部の大きさに合せて装着部本体１であるベルトの両端を所定幅重ね合わせ、適用する孔の位置にボルト６を貫通させて反対側からワッシャ７とナット８にて締め付け固定した後、余分なボルト６の先端部をナット８の端面から削除する。
こと時、図のようにきつく押さえ込んでナット８を締め付けておけば、内側はナット７の厚さ程度の窪みを生じるので、振動装置５の頭部に障害になることなく装着することができて好ましい。
また、この場合には、円錐台体の茶筅取付け部３は交換や他の大きさにも取り替えることができて、便利でもある。
【図面の簡単な説明】
【００３５】
【図１】本発明の第一の実施例を示す斜視図である。
【図２】本発明の第一の実施例の使用状態を示す説明図である。
【図３】図３は図２における茶筅取付け部３の一部を切り欠いた拡大断面図である。
【図４】本発明の第二の実施例を示す斜視図である。
【図５】本発明第二の実施例の使用状態を示す説明図である。
【図６】本発明の第三の実施例を示す斜視図である。（ａ）は構成部品図で、（ｂ）は組立所要部の斜視図である。
【符号の説明】
【００３６】１  装着部本体
２  ブリッジ材
３  茶筅取付け部
５  振動装置
５１  振動装置頭部
６  ボルト
７  ワッシャ
８  ナット
９  茶筅
Ａ  密着部
【図１】
2009106709.tif 000003
【図２】
2009106709.tif 000004
【図３】
2009106709.tif 000005
【図４】
2009106709.tif 000006
【図５】
2009106709.tif 000007
【図６】
2009106709.tif 000008